(57)【要約】【課題】受話側と送話側との向きを気にすることなく通話することができる通話装置を提供すること。【解決手段】Ａ領域側に第１スピーカと、第２マイクとが内蔵され、Ｂ領域側に第２スピーカと、第１マイクとが内蔵されている。そして、Ａ領域に配置されている第１静電センサによって耳が検出された場合には、Ａ領域側を受話側、Ｂ領域側を送話側に設定する。また、Ｂ領域に配置されている第２静電センサによって耳が検出された場合には、Ｂ領域側を受話側、Ａ領域側を送話側に設定する。よって、Ａ領域側を耳に当てＢ領域側を口元にして通話する場合であっても、Ｂ領域側を耳に当てＢ領域側を口元にして通話する場合であっても通話することができる。従って、受話側と送話側との向きを気にすることなく通話することができる。【選択図】図１
2010239530.tif 000002
【特許請求の範囲】
【請求項１】
ユーザの顔側に向けらる操作面と、その操作面の一端側から音声を放音する第１放音手段と、前記操作面の他端側から音声を集音する第１集音手段とを備えた通話装置において、
前記操作面の一端側から音声を集音する第２集音手段と、
前記操作面の他端側から音声を放音する第２放音手段と、
前記操作面の一端側または他端側を検出領域として、その検出領域に検出対象が接近または接触したかを検出する検出手段と、
その検出手段によって検出される検出結果に応じて、前記第１放音手段と前記第２集音手段とを有効、または、前記第２放音手段と前記第２集音手段とを有効に設定する設定手段とを備えていることを特徴とする通話装置。
【請求項２】
前記検出領域に耳が接近または接触した場合のパターンを示す耳パターンを記憶する記憶手段を備え、
前記検出手段は、
前記検出領域に前記検出対象が接近または接触した場合に検出される検出パターンを取得する取得手段と、
その取得手段によって取得した検出パターンが前記記憶手段に記憶されている耳パターンと一致するかを判断する第１判断手段とを備え、
前記設定手段は、前記第１判断手段によって両パターンが一致すると判断された場合に、前記検出領域から音声を放音する第１放音手段または前記第２放音手段を有効に設定すると共に、その有効に設定する第１放音手段または前記第２放音手段に対応する前記第１集音手段または第２集音手段を有効に設定することを特徴とする請求項１に記載の通話装置。
【請求項３】
前記検出手段は、
前記操作面の一端側と前記操作面の他端側との両方を前記検出領域とし、
前記取得手段によって両方の検出領域から検出パターンを取得し、且つ、その両方の検出パターンの各々が前記耳パターンと不一致であると前記第１判断手段によって判断された場合に、前記両方の検出パターンのうち、どちらの検出パターンが大きいかを判断する第２判断手段を備え、
前記設定手段は、
前記第２判断手段によって検出パターンが大きいと判断された検出領域から音声を放音する第１放音手段または前記第２放音手段を有効に設定すると共に、その有効に設定する第１放音手段または前記第２放音手段に対応する前記第１集音手段または第２集音手段を有効に設定することを特徴とする請求項２に記載の通話装置。
【請求項４】
前記取得手段によって両方の検出領域から検出パターンを取得できず、または、前記取得手段によって両方の検出領域のうち一方の検出領域から検出パターンを取得し、且つ、その取得した検出パターンが前記耳パターンと不一致であると前記第１判断手段によって判断された場合に、所定の情報を報知する報知手段を備えていることを特徴とする請求項３に記載の通話装置。
【請求項５】
前記取得手段によって取得した検出パターンが前記第１判断手段によって前記耳パターンと不一致であると判断された場合に、所定の情報を報知する報知手段を備えていることを特徴とする請求項２に記載の通話装置。
【請求項６】
前記検出手段は、前記取得手段によって取得した検出パターンが前記第１判断手段によって前記耳パターンと不一致であると判断された場合に、前記取得手段によって取得した検出パターンの大きさが所定の大きさ以上かを判断する第３判断手段を備え、
前記設定手段は、
前記第３判断手段によって所定の大きさ以上であると判断された場合に、前記検出領域から音声を放音する第１放音手段または前記第２放音手段を有効に設定すると共に、その有効に設定する第１放音手段または前記第２放音手段に対応する前記第１集音手段または第２集音手段を有効に設定することを特徴とする請求項２に記載の通話装置。
【請求項７】
通話中かを判断する通話中判断手段を備え、
前記検出手段は、前記通話中判断手段によって通話中であると判断された場合に繰り返し検出を行うことを特徴とする請求項１から６のいずれかに記載の通話装置。
【発明の詳細な説明】
【技術分野】
【０００１】
本発明は、通話装置に関するものである。
【背景技術】
【０００２】
従来より、ユーザの顔側に向けらる操作面の上側にスピーカ、下側にマイクロホンが設けられている通話装置が知られている。この種の通話装置に関し、特許文献１には、上部筐体２の上側にスピーカ６、下部筐体４の下側に２つのマイクロホン８ａ、８ｂが左右並列に設けられている携帯電話機１が開示されている。
【先行技術文献】
【特許文献】
【０００３】
【特許文献１】特開２００８−２２７７７５
【発明の概要】
【発明が解決しようとする課題】
【０００４】
しかしながら、上述した携帯電話機１を含め、操作面の上側にスピーカ、下側にマイクロホンが設けられている通話装置では、特に、上下のデザインが対称である場合や、暗闇で使用する場合には、どちらが上側（スピーカ側、受話側）で、どちらが下側（マイクロホン側、送話側）であるかを特定するのが困難であり、上下を逆にした状態で通話が開始されてしまうことがあった。
【０００５】
本発明は、上述した問題点を解決するためになされたものであり、受話側と送話側との向きを気にすることなく通話することができる通話装置を提供することを目的としている。
【課題を解決するための手段】
【０００６】
この目的を達成するために、本願発明の通話装置は、ユーザの顔側に向けらる操作面と、その操作面の一端側から音声を放音する第１放音手段と、前記操作面の他端側から音声を集音する第１集音手段とを備えたものであって、前記操作面の一端側から音声を集音する第２集音手段と、前記操作面の他端側から音声を放音する第２放音手段と、前記操作面の一端側または他端側を検出領域として、その検出領域に検出対象が接近または接触したかを検出する検出手段と、その検出手段によって検出される検出結果に応じて、前記第１放音手段と前記第２集音手段とを有効、または、前記第２放音手段と前記第２集音手段とを有効に設定する設定手段とを備えている。
【発明の効果】
【０００７】
請求項１記載の通話装置によれば、例えば、操作面の一端側を検出領域とし、その検出領域に検出対象が接近または接触したことが検出された場合には、一端側が受話側、他端側が送話側になるように、第１放音手段と第２集音手段とを有効に設定し、一端側に検出対象が検出されない場合には、他端側が受話側、一端側が送話側になるように、第２放音手段と第２集音手段とを有効に設定する。これにより、受話側と送話側との向きを気にすることなく通話することができるという効果がある。また、これは、特に、操作面のデザインが上下対象である場合や、暗闇で使用する場合のように、どちらが受話側で、どちらが送話側かを認識するのが困難である場合に効果的である。
【０００８】
請求項２記載の通話装置によれば、請求項１に記載の通話装置の奏する効果に加え、耳を検出し、耳が検出された方を受話側にすることで、受話側、送話側を正しく設定することができるという効果がある。
【０００９】
請求項３記載の通話装置によれば、請求項２に記載の通話装置の奏する効果に加え、耳が検出されない場合でも、一般的には、送話側よりも受話側の検出パターンが大きいので、検出パターンが大きい方を受話側とすることで、受話側、送話側を正しく設定することができるという効果がある。
【００１０】
請求項４記載の通話装置によれば、請求項３に記載の通話装置の奏する効果に加え、例えば「耳をしっかりと当てて通話して下さい」という情報をユーザに報知することで、受話側、送話側を正しく設定することができるという効果がある。
【００１１】
請求項５記載の通話装置によれば、請求項２に記載の通話装置の奏する効果に加え、例えば「耳をしっかりと当てて通話して下さい」という情報をユーザに報知することで、受話側、送話側を正しく設定することができるという効果がある。
【００１２】
請求項６記載の通話装置によれば、請求項２に記載の通話装置の奏する効果に加え、耳が検出されない場合でも、一般的には所定大きさ以上の検出パターンが受話側に検出されるので、かかる検出領域を受話側とすることで、受話側、送話側を正しく設定することができるという効果がある。
【００１３】
請求項７記載の通話装置によれば、請求項１から６のいずれかに記載の通話装置の奏する効果に加え、通話装置を把持する姿勢は通話中に変化するので、かかる通話中は繰り返して検出を行うことで、通話中に、受話側、送話側が逆にされることがあったとしても通話することができるという効果がある。
【図面の簡単な説明】
【００１４】
【図１】（ａ）は携帯電話の外観斜視図であり、（ｂ）は携帯電話の外観正面図である。
【図２】携帯電話の電気的構成を示すブロック図である
【図３】受話側／送話側切換処理を示すフローチャートである。
【発明を実施するための形態】
【００１５】
以下、本発明の好ましい実施形態について、添付図面を参照して説明する。図１は、本発明の一実施形態である携帯電話１の外観斜視図であり、（ｂ）携帯電話１の外観正面図である。携帯電話１は、電話回線網を介して接続された相手側装置と通話可能な装置であり、特に、受話側と送話側との向きを気にすることなく通話することができるものである。
【００１６】
携帯電話１の筐体は偏平な箱状に形成されており、その一側面はユーザの顔側に向けらる操作面１ａとして構成されている。操作面１ａには、その中央部にＬＣＤ２が設けられ、その一端側（図中上側）に第１孔３、第１孔３との間にＬＣＤ２を挟む他端側（図中下側）に第２孔４が穿設されている。尚、ＬＣＤ２、第１孔３、第２孔４を含む操作面１ａは、上下、左右対象にデザインされている。
【００１７】
ＬＣＤ２は、各種画像を表示するものであり、各種画像として、例えば、「０」〜「９」の数字ボタン、電源ボタン、着信ボタン、発信ボタン等を表示する。また、このＬＣＤ２の表示面には、入力装置の一種であるタッチパネル５が配設されている。ＬＣＤ２に表示されている画像がユーザによって指で触られると、その位置に表示されている画像に対応する各処理が実行される。
【００１８】
第１孔３は、音声を放音または集音する孔であり、携帯電話１の内部には、第１孔３に向けて音声を放音するスピーカである第１スピーカ６ａ（図２参照）と、第１孔３から音声を集音するマイクロフォンである第２マイク７ａ（図２参照）とが内蔵されている。
【００１９】
第２孔４は、音声を放音または集音する孔であり、携帯電話１の内部には、第２孔４に向けて音声を放音するスピーカである第２スピーカ６ｂ（図２参照）と、第１孔４から音声を集音するマイクロフォンである第１マイク７ｂ（図２参照）とが内蔵されている。
【００２０】
また、第１孔３を含む操作面１ａの一端側の所定領域（以下「Ａ領域」と称す）には、第１静電センサ８（図２参照）が配置され、第２孔４を含む操作面１ａの他端側の所定領域（以下「Ｂ領域」と称す）には第２静電センサ９（図２参照）が配置されている。
【００２１】
第１静電センサ８はＡ領域、第２静電センサ９はＢ領域に検出対象が接近（又は接触）したかを検出するセンサであり、各領域内には碁盤の目のように各領域を区画する電極パターンが配置され、この電極パターンと検出対象との間の静電容量の変化を利用して、Ａ領域、Ｂ領域に検出対象が接近（又は接触）したかを検出する。
【００２２】
例えば、図１（ｂ）に示すように、ユーザが携帯電話１を把持してＡ領域に右耳を接近（又は接触）させると、第１静電センサ８によって検出パターンＥ１が検出され、Ｂ領域に右耳を接近（又は接触）させると、第２静電センサ９によって検出パターンＥ２が検出される。
【００２３】
一方、携帯電話１には、後述するように、Ａ領域とＢ領域との各領域に右耳、または、左耳が接近（又は接触）した場合における一以上の耳パターンが記憶されており、この耳パターンと、実際に第１、第２静電センサ８，９によって検出される検出パターンとを比較することで、Ａ領域、または、Ｂ領域に耳が接近（又は接触）したかを検出することができる。
【００２４】
そして、Ａ領域に耳が接近（又は接触）したことを検出すると、第１スピーカ６ａと、第１マイク７ｂとを有効にし、操作面１ａの一端側（図中上側）を受話側、他端側（図中下側）を送話側として設定する。尚、本実施形態において、第１スピーカ６ａと、第１マイク７ｂとを有効にするとは、第２スピーカ６ｂと、第２マイク７ａとを無効とし、第１スピーカ６ａだけから音声を放音し、第１マイク７ｂだけから音声を集音することを言う。
【００２５】
一方、Ｂ領域に耳が接近（又は接触）したことを検出すると、第２スピーカ６ｂと、第２マイク７ａとを有効にし、操作面１ａの一端側（図中上側）を送話側、他端側（図中下側）を受話側として設定する。これにより、携帯電話１を使用するユーザは、受話側と送話側との向きを気にすることなく通話することができる。尚、本実施形態において、第２スピーカ６ｂと、第２マイク７ａとを有効にするとは、第１スピーカ６ａと、第１マイク７ｂとを無効とし、第２スピーカ６ｂだけから音声を放音し、第２マイク７ａだけから音声を集音することを言う。
【００２６】
図２は、携帯電話１の電気的構成を示すブロック図である。携帯電話１は、ＣＰＵ１１、ＲＯＭ１２、ＲＡＭ１３、表示制御部１４、タッチ検出部１５、ＮＣＵ１６、モデム１０、静電センサ検出部１７、第１音声信号制御部１８、第２音声信号制御部１９、第３スピーカ２０が入出力ポート２１を介して互いに接続されている。
【００２７】
ＣＰＵ１１は、ＲＯＭ１２やＲＡＭ１３に記憶される固定値やプログラム或いは、ＮＣＵ１６を介して送受信される各種信号に従って、携帯電話１が有している各機能の制御や、入出力ポートと接続された各部を制御するものである。
【００２８】
ＲＯＭ１２は、携帯電話１で実行される制御プログラムなどを格納した書換不能なメモリであり、耳パターンメモリ１２ａが割り当てられている。
【００２９】
耳パターンメモリ１２ａには、ユーザの耳パターンが記憶されている。即ち、初期設定として、ユーザがＡ領域とＢ領域との各領域に右耳または左耳を接近（又は接触）させた場合に、第１、第２静電センサ８，９によって検出される検出パターンが、ユーザの耳パターンとして記憶されている。
【００３０】
ＲＡＭ１３は、書換可能な揮発性のメモリであり、携帯電話１の各操作の実行時に各種のデータを一時的に記憶するためのメモリであり、ディフォルトフラグ１３ａ、Ａ領域フラグ１３ｂが記憶されている。
【００３１】
ディフォルトフラグ１３ａは、第１スピーカ６ａ、第１マイク７ｂとが有効に設定されている場合に「ＯＮ」に設定されるフラグである。Ａ領域フラグ１３ｂはＡ領域に何らかの検出対象が接近（又は接触）したことが第１静電センサ８によって検出された場合にＯＮに設定されるフラグである。
【００３２】
ＮＣＵ１６は、電話回線網１００と接続されており、電話回線網１００へのダイヤル信号の送出や、電話回線網１００からの呼出信号の応答などの制御を行うものであり、モデム１０と接続されている。
【００３３】
静電センサ検出部１７は、第１静電センサ８、第２静電センサ９と接続されており、第１静電センサ８、第２静電センサ９から出力される信号に基づいて、Ａ領域の検出パターン、Ｂ領域の検出パターンを検出する。
【００３４】
第１音声信号制御部１８は、切換部２２を介して第１スピーカ６ａと、第２スピーカ６ｂとに接続されており、入出力ポート２１から入力される音声信号をＤ／Ａ変換する。変換された音声信号は、切換部２２によって第１スピーカ６ａ、または、第２スピーカ６ｂから放音される。
【００３５】
切換部２２は、第１音声信号制御部１８から出力される音声信号を、第１スピーカ６ａと第２スピーカ６ｂとのいずれに出力するかを切換えるリレー回路であり、バスライン２２ａを介して入出力ポート２１に接続され、入出力ポート２１からバスライン２２ａを介して入力される制御信号によって制御される。
【００３６】
第２音声信号制御部１９は、切換部２３を介して第１マイク７ｂと、第２マイク７ａとに接続されており、第１マイク７ａ、または、第２マイク７ｂから入力される音声信号をＡ／Ｄ変換する。
【００３７】
切換部２３は、第１マイク７ａと第２マイク７ｂとのいずれからの音声信号を第２音声信号制御部１９に入力するかを切換えるリレー回路であり、バスライン２３ａを介して入出力ポート２１に接続され、入出力ポート２１からバスライン２３ａを介して入力される制御信号によって制御される。
【００３８】
第３スピーカ２０は、操作面１ａ（図１参照）と対向する側面に設置されており、予め定められた所定の情報を放音するものである。
【００３９】
図３は、受話側／送話側切換処理を示すフローチャートである。この処理は、ユーザが耳をＡ領域またはＢ領域に接近（又は接触）させたかに応じて、携帯電話１の受話側／送話側を切換える処理であり、携帯電話１に着信があった場合、または、携帯電話１から発呼する場合に実行される。
【００４０】
この処理では、まず、初期化処理を行う（Ｓ３０１）。具体的には、ディフォルトフラグ１３ａを「ＯＮ」に設定し、Ａ領域側を受話側、Ｂ領域側を送話側に設定する。また、Ａ領域フラグを「ＯＦＦ」に設定する。
【００４１】
その後、回線が閉結されるまでは待機し（Ｓ３０２：Ｎｏ）、回線が閉結された場合には（Ｓ３０２：Ｙｅｓ）、Ａ領域、Ｂ領域の各領域で検出される検出パターンを取得する（Ｓ３０３）。
【００４２】
そして、Ａ領域で検出パターンを検出したかを判断し（Ｓ３０４）、検出した場合には（Ｓ３０４：Ｙｅｓ）、Ａ領域フラグを「ＯＮ」に設定し（Ｓ３０５）、Ａ領域の検出パターンと、耳パターンメモリ１２ａに記憶されている耳パターンとを比較し（Ｓ３０６）、Ａ領域の検出パターンが耳パターンかを判断する（Ｓ３０７）。
【００４３】
Ａ領域の検出パターンが耳パターンであれば（Ｓ３０７：Ｙｅｓ）、Ａ領域側を受話側、Ｂ領域側を送話側に設定する。即ち、ディフォルトフラグ１３ａが「ＯＮ」か判断し（Ｓ３０８）、「ＯＮ」であれば（Ｓ３０８：Ｙｅｓ）、Ａ領域側が受話側、Ｂ領域側が送話側に設定されているので、そのままＳ３１１の処理に移行する。
【００４４】
一方、ディフォルトフラグが「ＯＦＦ」であれば（Ｓ３０８：Ｎｏ）、切換部２２，２３を制御して、第１スピーカ６ａ、第１マイク７ｂを有効に設定し（Ｓ３０８）、ディフォルトフラグ１３ａを「ＯＮ」に設定して（Ｓ３１０）、Ｓ３１１の処理に移行する。
【００４５】
こうして、Ａ領域の検出パターンが耳パターンであると判断された場合にはＡ領域側を受話側、Ｂ領域側を送話側に設定することができる。
【００４６】
一方、Ｓ３０４の判断処理で、Ａ領域の検出パターンが検出されなかった場合（Ｓ３０４：Ｎｏ）、および、Ｓ３０７の判断処理で、Ａ領域の検出パターンが耳パターンでなかった場合には（Ｓ３０７：Ｎｏ）、Ｂ領域で検出パターンを検出したかを判断し（Ｓ３１２）、検出した場合には（Ｓ３１２：Ｙｅｓ）、Ｂ領域での検出パターンと、耳パターンメモリ１２ａに記憶されている耳パターンとを比較し（Ｓ３１３）、Ｂ領域の検出パターンが耳パターンかを判断する（Ｓ３１４）。
【００４７】
Ｂ領域の検出パターンが耳パターンであれば（Ｓ３１４：Ｙｅｓ）、Ｂ領域側を受話側、Ａ領域側を送話側に設定する。即ち、ディフォルトフラグ１３ａが「ＯＮ」か判断し（Ｓ３１５）、「ＯＮ」でない、「ＯＦＦ」であれば（Ｓ３１５：Ｎｏ）、既に、Ｂ領域側が受話側、Ａ領域側が送話側に設定されているので、そのままＳ３１１の処理に移行する。
【００４８】
一方、ディフォルトフラグ１３ａが「ＯＮ」であれば（Ｓ３１５：Ｙｅｓ）、切換部２２，２３を制御して、第２スピーカ６ｂ、第２マイク７ａを有効に設定し（Ｓ３１６）、ディフォルトフラグ１３ａを「ＯＦＦ」に設定して（Ｓ３１７）、Ｓ３１１の処理に移行する。
【００４９】
こうして、Ｂ領域の検出パターンが耳パターンであると判断された場合にはＢ領域側を受話側、Ａ領域側を送話側に設定することができる。
【００５０】
一方、Ｓ３１４の判断処理で、Ｂ領域での検出パターンが耳パターンでないと判断された場合には（Ｓ３１４：Ｎｏ）、Ａ領域フラグ１３ｂが「ＯＮ」か判断し（Ｓ３１８）、「ＯＮ」であれば（Ｓ３１８：Ｙｅｓ）、Ａ領域の検出パターンと、Ｂ領域の検出パターンとを比較し（Ｓ３２０）、Ａ領域の検出パターンがＢ領域での検出パターンよりも大きいかを判断する（Ｓ３２１）。
【００５１】
Ａ領域の検出パターンがＢ領域の検出パターンよりも小さければ（Ｓ３２１：Ｎｏ）、Ｂ領域側を受話側、Ａ領域側を送話側に設定する。即ち、上述したＳ３１５，Ｓ３１６，Ｓ３１７の処理を実行する。
【００５２】
一方、Ｓ３２１の判断処理で、Ａ領域での検出パターンがＢ領域での検出パターンよりも大きければ（Ｓ３２１：Ｙｅｓ）、Ａ領域側を受話側、Ｂ領域側を送話側に設定する。即ち、上述したＳ３０８，Ｓ３０９，Ｓ３１０と同様の処理であるＳ３２２，Ｓ３２３，Ｓ３２４の処理を実行する。
【００５３】
こうして、Ａ領域およびＢ領域の検出パターンが何れも耳パターンでなかった場合には、検出パターンが大きい方を受話側、小さい方を送話側に設定することができる。これは、一般的に、送話側よりも受話側の検出パターンが大きいので、検出パターンが大きい方を受話側とすることで、受話側、送話側を正しく設定することができる。
【００５４】
また、Ｓ３１２の判断処理において、Ｂ領域の検出パターンが検出されなかった場合（Ｓ３１２：Ｎｏ）、換言すれば、Ａ領域と、Ｂ領域とで検出パターンが検出されなかった場合と、Ｂ領域で検出パターンが検出されず、Ａ領域で耳パターンではないが、何らかの検出対象（例えば、口、頬、顎等）が検出された場合には、第３スピーカ２０から、例えば、「しっかりと耳を当てて下さい」というアナウンスを流し（Ｓ３１９）、Ｓ３１１の処理に移行する。
【００５５】
同様に、Ｓ３１８の判断処理において、Ａ領域フラグ１３ｂがＯＮでない場合（Ｓ３１８：Ｎｏ）、換言すれば、Ａ領域で検出パターンが検出されず、Ｂ領域で耳パターンではないが、何らかの検出対象（例えば、口、頬、顎等）が検出された場合は、Ｓ３１９の処理を実行し、Ｓ３１１の処理に移行する。こうして、かかるアナウンスをすることで、耳を正しく検出することができ、受話側、送話側を正しく設定することができる。
【００５６】
そして、Ｓ３１１処理では、回線が開放されたかを判断し（Ｓ３１１）、開放されていなれば（Ｓ３１１：Ｎｏ）、再び、Ｓ３０３からの処理に移行する。即ち、通話中（回線閉結中）において携帯電話１を把持する姿勢は変化するので、かかる通話中は繰り返して検出を行うことで、通話中に、受話側、送話側が逆にされることがあったとしても正常に通話することができる。一方、Ｓ３１１の判断で、回線が開放されていれば（Ｓ３１１：Ｙｅｓ）、本処理を終了する。
【００５７】
このように、本処理によれば、Ａ領域の検出パターンが耳パターンであれば（Ｓ３０７：Ｙｅｓ）、Ａ領域側を受話側、Ｂ領域側を送話側に設定する。また、Ｂ領域の検出パターンが耳パターンであれば（Ｓ３１４：Ｙｅｓ）、Ｂ領域側を受話側、Ａ領域側を送話側に設定する。よって、Ａ領域側を耳に当てＢ領域側を口元にして通話する場合であっても、Ｂ領域側を耳に当てＢ領域側を口元にして通話する場合であっても通話することができる。よって、受話側と送話側との向きを気にすることなく通話することができる。また、特に、携帯電話１のように、操作面のデザインが上下、左右対象である場合や、暗闇で使用する場合のように、どちらが受話側で、どちらが送話側かを認識するのが困難である場合に効果的である。
【００５８】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００５９】
本実施形態では、Ａ領域に第１静電センサ８、Ｂ領域に第２静電センサ９を配置する場合について説明したが、Ｂ領域に第２静電センサ９を配置せず、Ａ領域に第１静電センサ８だけを配置、または、Ａ領域に第１静電センサ８を配置せずＢ領域に第２静電センサ９だけを配置するように構成しても良い。かかる場合には、例えば、一方の領域で検出される検出パターンが耳パターンかを判断し、検出された場合には、その一方の領域側を受話側、他方を送話側に設定し、一方の領域で検出パターンが検出されなかった場合には、一方の領域側を送話側、他方を受話側に設定するように構成しても良い。
【００６０】
また、一方の領域だけに静電センサを配置した場合に、一方の領域から検出パターンは検出されたものの、その検出パターンが耳パターンでない場合に、その検出パターンが所定の大きさ以上かを判断し、所定の大きさ以上であれば、それは耳であると仮定して、その一方の領域側を受話側、他方を送話側に設定するように構成しても良い。
【００６１】
また、第１，第２静電センサ８，９の大きさは、図１に示す大きさに限定されるものではなく、例えば、一端側から全体の１／３の領域、他端側から全体の１／３の領域に第１，第２静電センサ８，９を配置するようにしても良い。かかる場合には、検出可能範囲が広がり、より正確な耳の検出を行うことができる。
【００６２】
また、本実施形態では、本発明の通話装置として、携帯電話１について説明したが、本発明の通話装置としては、携帯電話１に限られず、固定電話機、子機等であっても良い。
【符号の説明】
【００６３】
１          携帯電話（通話装置の一例）
１ａ        操作面
６ａ        第１スピーカ（第１放音手段の一例）
６ｂ        第２スピーカ（第２集音手段の一例）
７ａ        第１マイク（第２放音手段の一例）
７ｂ        第１マイク（第１集音手段の一例）
８          第１静電センサ（検出手段の一例）
９          第２静電センサ（検出手段の一例）
１２ａ      耳パターンメモリ（記憶手段）
Ｓ３０３    取得手段の一例
Ｓ３０７    第１判断手段の一例
Ｓ３０８    設定手段の一例
Ｓ３０９    設定手段の一例
Ｓ３１１    通話中判断手段の一例
Ｓ３１４    第１判断手段の一例
Ｓ３１５    設定手段の一例
Ｓ３１６    設定手段の一例
Ｓ３１９    報知手段の一例
Ｓ３２１    第２判断手段の一例
Ｓ３２２    設定手段の一例
Ｓ３２３    設定手段の一例
【図１】
2010239530.tif 000003
【図２】
2010239530.tif 000004
【図３】
2010239530.tif 000005